(57)【要約】      （修正有）【課題】機械アームによって、サイコロを振る動作を行うサイコロゲーム機のサイコロ振り装置を提供する。【解決手段】八の字型の基部１後方中央部にシリンダー室１１が設けられ、シリンダー室内に気圧シリンダー２が固設され、気圧シリンダーのシリンダー軸が前へ延伸するとともにその前端に誘起板２２が螺合され、シリンダー壁に前後二つの吸気弁２３，２４が設けられる。更に誘起板両側にはそれぞれ挟持アーム３が螺合され、挟持アームは螺合部外側に彎曲アーム３２が延伸してなる。彎曲アームは誘起板と共に前後に水平移動し、内外に開閉する。彎曲アームには挟持ブロック３５が固設され、挟持ブロックには内向きに開口した挟止口３５１が凹設される。挟止口の口縁は外から内へと斜めに拡張する。以上により、基部後方のシリンダー室頂面は予め機械アーム前端に取り付けられ、二つの送風管はシリンダー壁の二つの吸気弁と機械アームの間に接続される。【選択図】図１
0003191236.tif 000002
【実用新案登録請求の範囲】
【請求項１】
基部と、気圧シリンダーと、二つの挟持アームとからなる、サイコロゲーム機のサイコロ振り装置であって、
前記基部は、後方中央部にシリンダー室が設けられ、
前記気圧シリンダーは、前記シリンダー室内部に固設されるとともに、シリンダー軸が前記シリンダー室を貫いて設けられ、且つ前記シリンダー軸前端に凸字型の誘起板が螺合され、
更に前記気圧シリンダーのシリンダー壁上には、前後二つの吸気弁が設けられ、
二つの前記挟持アームは、いずれも平らな螺合部の外側に彎曲アームが延伸してなり、
前記螺合部は、内側端縁がそれぞれ前記誘起板の両側に螺合され、
前記螺合部は、更にもう一方の側における前記基部との間にそれぞれ制止片が枢設されることにより、
前記螺合部は、前記誘起板と共に前後に水平移動し、これに連動した前記彎曲アームは内向きに閉じたり外向きに開いたりし、
二つの前記彎曲アームは、いずれも上方に挟持ブロックが固設され、
前記挟持ブロックは、前記彎曲アームの弧度に沿って設けられるとともに、内側にいずれも挟止口が凹設され、
以上の構造により、
機械アームによって上昇下降及び前記気圧シリンダーのシリンダー軸の伸縮を操作することにより、サイコロ壷を挟む・サイコロを振る・サイコロを出す動作を行うことを特徴とする、サイコロゲーム機のサイコロ振り装置。
【請求項２】
前記挟持アームの彎曲アーム底面には、いずれも略Ｌ字型の誘導枠が固設され、
前記誘導枠後端には、いずれも開口部が設けられ、
前記開口部からは、外向きに彎曲して当接辺部が形成され、
前記当接辺部は、前記基部前縁の底面に当接することにより、
前記彎曲アームは、螺合部に連動して内外へ開閉した時、前記彎曲アームが上下に動かないように、前記当接辺部が基部前縁の底面に接触しつつスライド移動することを特徴とする、請求項１に記載のサイコロゲーム機のサイコロ振り装置。
【請求項３】
二つの前記挟持ブロック内側における挟止口は、いずれも口縁が外から内へとやや斜めに拡張しており、且つ向かい合って対応して設けられることを特徴とする、請求項１に記載のサイコロゲーム機のサイコロ振り装置。
【考案の詳細な説明】
【技術分野】
【０００１】
本考案は、サイコロゲーム機のサイコロ振り装置に関し、特に二つの挟持アームを操作して内向きに閉じたり外向きに開いたりするとともに、機械アームによって上昇下降したり上下にスイング式に動いたりして、サイコロ壷を挟む・サイコロを振る・サイコロを出すといった動作を行うことにより、サイコロゲームの公平性と娯楽性を向上させることができる、サイコロゲーム機のサイコロ振り装置に関する。
【背景技術】
【０００２】
サイコロゲームの遊び方は、どのような変化を加えたとしても、頂面に現れた目の数が勝敗を決める根拠になるという点は常に変わらない。現在のサイコロゲームは、いずれも人の手によってサイコロを投げて、頂面に現れる目の数を決定するという過程を経るため、ゲームの公平性に疑問を抱かれる可能性がある。更に不正行為の疑いを持たれる可能性もあり、単純な確率ゲームとしての面白さが失われてしまうだけでなく、諍いを引き起こすこともある。
【考案の概要】
【考案が解決しようとする課題】
【０００３】
本考案は、二つの挟持アームを操作して内向きに閉じたり外向きに開いたりするとともに、機械アームによって上昇下降したり上下にスイング式に動いたりして、サイコロ壷を挟む・サイコロを振る・サイコロを出すといった動作を行うことにより、サイコロゲームの公平性と娯楽性を向上させることができる、サイコロゲーム機のサイコロ振り装置を提供することを目的とする。
【課題を解決するための手段】
【０００４】
上述の目的を達成するため、本考案のサイコロゲーム機のサイコロ振り装置は、二つの挟持アームが内向きに閉じたり外向きに開いたりするとともに、機械アームと連動して上昇下降したり上下にスイング式に動いたりすることにより、サイコロ壷を挟む・サイコロを振る・サイコロを出すといった動作を行う。
【考案の効果】
【０００５】
以上により本考案は、サイコロゲームにおける勝敗を決める根拠を提供し、且つサイコロゲームの公平性と娯楽性を向上させることができる。
【図面の簡単な説明】
【０００６】
【図１】本考案の外観を示した斜視図（挟持アームは内向きに閉じた状態）である。
【図２】本考案の外観を示した斜視図２（挟持アームは外向きに開いた状態）である。
【図３】本考案の構造の一部を示した俯瞰図（挟持アームは内向きに閉じた状態）である。
【図４】本考案の構造の一部を示した俯瞰図２（挟持アームは外向きに開いた状態）である。
【図５】本考案の実施例を示した概略図１（動作前の状態）である。
【図６】本考案の実施例を示した概略図２（サイコロ壷を持ち上げた状態）である。
【図７】本考案の実施例を示した概略図３（上向きにサイコロ壷を振った状態）である。
【図８】本考案の実施例を示した概略図４（下向きにサイコロ壷を振った状態）である。
【図９】本考案の実施例を示した概略図５（壷蓋を挟み込んだ状態）である。
【図１０】本考案の実施例を示した概略図６（壷蓋を持ち上げてサイコロを出した状態）である。
【考案を実施するための形態】
【０００７】
上述の目的を達成するための本考案の構造について、図を参照しつつ実施例を説明する。
【０００８】
まず図１から図４までを参照する。本考案は主に、基部１と、気圧シリンダー２と、二つの挟持アーム３・４とからなる。このうち、基部１は、八の字型を呈するとともに、内側及び外辺縁に沿っていずれも下向きに折れ曲がって延伸した結合辺が形成され、且つ後方の中央部に設けられたシリンダー室１１内に気圧シリンダー２が横向きに固定される。またシリンダー室１１前縁の両側及び中央部には、それぞれ凸柱（図示せず）及び台ブロック１２が固設され、前記凸柱と台ブロック１２は同等の高さを備えている。更に基部１とシリンダー室１１両側の間には、それぞれ遮蔽蓋１３が螺合され、基部１とシリンダー室１１底面の間には、底板１４が結合されることにより、外観上の整合性を向上することができる。
【０００９】
気圧シリンダー２は、シリンダー軸２１が前向きになるようにシリンダー室１１内に固設されるとともに、シリンダー軸２１がシリンダー室１１を貫いて前方に適切な長さが延伸するように設けられ、且つ最前端に誘起板２２が螺合される。誘起板２２は、凸字状を呈するとともに、基部１頂面の台ブロック１２表面に接して設けられる。更にシリンダー壁には、前後二つの吸気弁２３・２４が設けられ、二つの吸気弁２３・２４はいずれもシリンダー室１１の横から外部に露出しており、露出した外部にはそれぞれ送風管２３１・２４１が嵌設され（図５から１０を参照）、二つの吸気弁２３・２４から加圧後の空気が送り込まれることにより、シリンダー軸２１が伸縮する（気圧シリンダーの構造、作動原理及び制御は、いずれも従来技術であり、本考案の内容には該当しないため、重複して述べることはしない）。これにより、誘起板２２が前後に水平移動する。
【００１０】
二つの挟持アーム３・４は、いずれも略「へ」の字型を呈するとともに、互いに左右内向きに対応するように設けられ、且ついずれも平らな螺合部３１・４１の外側に彎曲アーム３２・４２が延伸してなる。このうち、螺合部３１・４１の内側端縁は、それぞれ誘起板２２両側に螺合され、もう一方の側における基部１の凸柱との間には、それぞれ制止片３３・４３が枢設される。二つの制止片３３・４３は、同等の長さであるため、螺合部３１・４１が誘起板２２と連動して前後に水平移動する。また螺合点を支点としてスイング式に動くことにより、これに連動した彎曲アーム３２・４２が内向きに閉じたり外向きに開いたりする。更に彎曲アーム３２・４２底面における適切な位置には、いずれも略Ｌ字型の誘導枠３４・４４が固設される。誘導枠３４・４４後端には、いずれも開口部が設けられ、開口部から外向きに彎曲して当接辺部３４１・４４１が形成され、当接辺部３４１・４４１は基部１前縁底面に当接する。以上により、二つの彎曲アーム３２・４２が螺合部３１・４１に連動してスイング式に内外へ開閉した時、当接辺部３４１・４４１がそれぞれ基部１両側前縁の底面に接触しつつ左右へスライド移動して、二つの彎曲アーム３２・４２が上下に動かないようにすることにより、位置が水平に保たれたままスムーズに開閉が行われる。二つの彎曲アーム３２・４２上方には、いずれも挟持ブロック３５・４５が固設される。更に二つの挟持ブロック３５・４５は、彎曲アーム３２・４２前端の弧度に沿って設けられるとともに、やや内向きに突出しており、且つ内側にいずれも内向きに開口した挟止口３５１・４５１が凹設される。挟止口３５１・４５１口縁は、いずれも外から内へとやや斜めに拡張しており、二つの挟止口３５１・４５１の間には向かい合って対応するように開口した二つの凹状スペースが形成され、ここにサイコロ壷が挟まれる。
【００１１】
上記の構造に基づき、本考案の使用について以下に説明する。
【００１２】
図５から図１０までを参照する。本考案を使用する際、基部１後方に設けられたシリンダー室１１頂面は予めゲーム機台の機械アーム５前端に取り付けられ、二つの送風管２３１・２４１はそれぞれ気圧シリンダー２壁における二つの吸気弁２３・２４外部と接続され、二つの送風管２３１・２４１の他端は機械アーム５と接続され、更にゲーム機台に別途設けられたサイコロ壷６とともに用いられる。サイコロ壷６は、壷台座６１と、壷蓋６２が嵌合してなるとともに、嵌合部の周縁に、それぞれ挟持ブロック３５・４５の挟止口３５１・４５１を半分にした形状及びサイズと対応する口唇辺６１１・６２１が設けられ、更に壷蓋６２上方にも同様に唇縁６２２が周設される（図５参照）。以上により、まず機械アーム５を操作して基部１がサイコロ壷６の位置に向かって前方移動或いは下降するように操作することにより、二つの挟持ブロック３５・４５の挟止口３５１・４５１が壷台座６１と壷蓋６２の嵌合部外側に当接する。続いて気圧シリンダー２のシリンダー壁前方の吸気弁２３から加圧された空気を送り込むように操作することにより、気圧シリンダー２のシリンダー軸２１が収縮して、これに連動した誘起板２２が後方へ水平移動し、更に二つの挟持アーム３・４の彎曲アーム３２・４２が内向きに閉じ合うとともに、二つの挟持ブロック３５・４５の挟止口３５１・４５１が壷台座６１と壷蓋６２の嵌合部周縁における口唇辺６１１・６２１を係止し、しっかりと挟み込んで制止する。この時、機械アーム５前端は上昇を始めて（図６参照）、サイコロ壷６をゲーム機台から持ち上げる。一定の高さまで上昇した後、機械アーム５前端は、スイング式に上下に数回動いて、サイコロを振る動作を行う（図７、８参照）。この後、機械アーム５は下降して、サイコロ壷６をゲーム機台に戻すとともに、気圧シリンダー２のシリンダー壁後方の吸気弁２４から加圧された空気が送り込まれるように自動的に切換えられ、気圧シリンダー２のシリンダー軸２１が延伸することにより、二つの挟持アーム３・４の彎曲アーム３２・４２が外向きに開き、サイコロ壷６が挟持ブロック３５・４５による制止から開放される。これと同時に、機械アーム５前端はやや上昇し、二つの挟持ブロック３５・４５の挟止口３５１・４５１が壷蓋６２上方の唇縁６２２外側へ移動し、更に気圧シリンダー２前方の吸気弁２３から加圧された空気が送り込まれるように自動的に切換えられることにより、気圧シリンダー２のシリンダー軸２１が収縮する。これにより、二つの挟持ブロック３５・４５の挟止口３５１・４５１が、壷蓋６２上方の唇縁６２２をしっかりと挟み込んで制止する（図９参照）。機械アーム５前端が再び上昇することにより、壷蓋６２が持ち上げられ、サイコロを出す動作が完了する（図１０参照）。この後、機械アーム５は、壷蓋６２を被せ直すとともに、元の位置及び状態に戻って次の一連の動作（サイコロ壷６を挟む・サイコロを振る・サイコロを出す）のために待機する。
【００１３】
本考案は、気圧シリンダー２のシリンダー軸２１が伸縮し、誘起板２２と連動した二つの挟持アーム３・４の彎曲アーム３２・４２が内向きに閉じたり外向きに開いたりする。更に、彎曲アーム３２・４２上方には挟持ブロック３５・４５が固設され、二つの挟持ブロック３５・４５内側に向かい合って対応するように挟止口３５１・４５１が凹設される。二つの挟止口３５１・４５１は、サイコロ壷６が嵌合された際の壷台座６１と壷蓋６２の嵌合部周縁における口唇辺６１１・６２１の形状及びサイズに合わせて設けられる。また壷蓋６２上方にも同樣に唇縁６２２が周設される。以上により、機械アーム５によって気圧シリンダー２の上昇下降とシリンダー軸２１の伸縮を操作することにより、サイコロ壷６を挟む・サイコロを振る・サイコロを出すという動作を行うことができるため、サイコロゲームの公平性と娯楽性を向上させることができる。
【符号の説明】
【００１４】
１            基部
１１   シリンダー室
１２   台ブロック
１３   遮蔽蓋
１４   底板
２            気圧シリンダー
２１   シリンダー軸
２２   誘起板
２３   吸気弁
２３１ 送風管
２４   吸気弁
２４１ 送風管
３            挟持アーム
３１   螺合部
３２   彎曲アーム
３３   制止片
３４   誘導枠
３４１ 当接辺部
３５   挟持ブロック
３５１ 挟止口
４            挟持アーム
４１   螺合部
４２   彎曲アーム
４３   制止片
４４   誘導枠
４４１ 当接辺部
４５   挟持ブロック
４５１ 挟止口
５            機械アーム
６            サイコロ壷
６１   壷台座
６１１ 口唇辺
６２   壷蓋
６２１ 口唇辺
６２２ 唇縁
【図１】
0003191236.tif 000003
【図２】
0003191236.tif 000004
【図３】
0003191236.tif 000005
【図４】
0003191236.tif 000006
【図５】
0003191236.tif 000007
【図６】
0003191236.tif 000008
【図７】
0003191236.tif 000009
【図８】
0003191236.tif 000010
【図９】
0003191236.tif 000011
【図１０】
0003191236.tif 000012